(57)【要約】【課題】接続される負荷と信号伝送線路との特性インピーダンスが異なっていても反射を生じにくく、表皮効果の影響が顕著となる周波数帯の信号が伝送されても反射のおきにくい配線パターンを有するプリント配線板を提供する。【解決手段】分布定数回路である信号伝送線路Ｐ３ａ，Ｐ３ｂは、それぞれ接続線路Ｓ３ａ、Ｓ３ｂにより、それぞれランドＬ３ａ，Ｌ３ｂに接続される。ランドＬ３ａ，Ｌ３ｂには信号伝送線路Ｐ３ａ，Ｐ３ｂとは異なる特性インピーダンスを有する負荷が接続される。ランドＬ３ａ，Ｌ３ｂは、負荷の特性インピーダンスと一致する線路幅を有する。接続線路Ｓ３ａ，Ｓ３ｂは、線路幅を漸次増加させつつ角を持たないように滑らかに形成され、この接続線路Ｓ３ａ，Ｓ３ｂにより信号伝送線路Ｐ３ａ，Ｐ３ｂと負荷の間の特性インピーダンスが滑らかに減少する。【選択図】図４
2008064780.tif 000002
【特許請求の範囲】
【請求項１】
デジタルにて映像信号処理を行いつつディスプレイの駆動信号を差動信号として出力するＩＣが搭載されるとともに、ＬＶＤＳケーブルが接続されるコネクタのランドに対して該差動信号を伝送する所定幅の信号伝送線路がパターンとして形成されたプリント配線板を備え、
入力される映像信号に基づき所定の画面に映像を表示するフラットパネルディスプレイにおいて、
上記信号伝送線路は分布定数回路であり、かつ互いに隣接して略平行に形成され、ＣＭＯＳ論理回路より出力される差動信号を伝送する差動ペアであり、
該差動ペアにはコモンモードフィルタが設けられ、
該差動ペアの近接側は、伝送される差動信号により各々の信号伝送線路から発生される磁束を互いに打ち消しあう間隔で近接側が平行に形成され、
該差動ペアの遠隔側は、該差動ペアの間の中心線に対して互いに線対称に漸次幅が変化され、
上記ランドは上記信号伝送線路とは異なる線路幅を有し、
上記ＬＶＤＳケーブルより上記信号伝送線路の特性インピーダンスが大きい場合は、上記信号伝送線路の側から上記ＬＶＤＳケーブルの側へ向かって、上記線路幅を滑らかに漸増し、上記信号伝送線路と上記ＬＶＤＳケーブルの間の特性インピーダンスを滑らかに変化させ、
上記ＬＶＤＳケーブルより上記信号伝送線路の特性インピーダンスが小さい場合は、上記信号伝送線路の側から上記ＬＶＤＳケーブルの側へ向かって、上記線路幅を滑らかに漸減して上記信号伝送線路と上記ＬＶＤＳケーブルの間の特性インピーダンスを滑らかに変化させることを特徴とするフラットパネルディスプレイ。
【請求項２】
所定の負荷が接続されるランドに対して信号を伝送する所定幅の信号伝送線路がパターンとして形成されたプリント配線板において、
上記信号伝送線路は分布定数回路であり、
上記ランドは該ランドの幅の調節により上記負荷の特性インピーダンスと整合する特性インピーダンスを有し、
線路幅を漸次変化させつつ滑らかに上記信号伝送線路と上記ランドとを接続する接続線路により、上記信号伝送線路と上記負荷の間の特性インピーダンスを滑らかに変化させることを特徴とするプリント配線板。
【請求項３】
上記負荷より上記信号伝送線路の特性インピーダンスが大きい場合は、上記信号伝送線路の側から上記負荷の側へ向かって、上記線路幅を漸増することを特徴とする上記請求項２に記載のプリント配線板。
【請求項４】
上記負荷より上記信号伝送線路の特性インピーダンスが小さい場合は、上記信号伝送線路の側から上記負荷の側へ向かって、上記線路幅を漸減することを特徴とする上記請求項２または請求項３に記載のプリント配線板。
【請求項５】
上記信号伝送線路は、互いに隣接して略平行に形成される一対の信号伝送線路であり、
該一対の信号伝送線路は差動信号を伝送する差動ペアであり、近接側が平行に形成されかつ、その遠隔側はペアの間の中心線に対して互いに線対称に漸次幅が変化されることを特徴とする上記請求項２〜請求項４のいずれかに記載のプリント配線板。
【請求項６】
上記近接側の間隔は、
上記一対の信号伝送線路において伝送される差動信号により各々の信号伝送線路から発生される磁束を、互いに打ち消しあう間隔とされることを特徴とする上記請求項５に記載のプリント配線板。
【請求項７】
上記ランドは、ダンピング抵抗のランドであることを特徴とする上記請求項２〜請求項４のいずれかに記載のプリント配線板。
【請求項８】
上記ランドは、フィルタ回路に接続されるランドであることを特徴とする上記請求項２〜請求項４のいずれかに記載のプリント配線板。
【発明の詳細な説明】
【技術分野】
【０００１】
本発明は、フラットパネルディスプレイおよびプリント配線板に関し、特に分布定数回路としての取り扱いが必要となるパターンを有するプリント配線板、および該プリント配線板を備えるフラットパネルディスプレイに関する。
【背景技術】
【０００２】
近年、電子回路で扱われるデジタル信号は高周波化が進み、高周波信号を伝送するとパターンや配線等の経路から輻射されるノイズを如何に減少させるかが、電磁環境適合性（ＥＭＣ）の観点から課題となっている。
【０００３】
特にデジタル回路において、特性インピーダンスが不整合な線路にパルス信号を加えると、送信端や受信端において信号の一部または全部の反射が生じ、ゆがみやリンギングが発生してノイズ発生の原因となっていた。反射による電圧は伝送線路内で発生し、自身に影響を与え、波形を変えて偽信号を発生し、回路を誤動作に導くこともある。さらにＣＭＯＳ論理回路を用いたほとんどの回路は遠端（線路の向こう側）解放であり、遠端における反射係数は＋１．０なので、符号の異なる反射係数を繰り返すことにより反射が持続するといった問題もある。
【０００４】
このような反射を考慮する必要が生じるのは、信号を伝送する線路が分布定数回路となる場合であると言える。すなわち、取り扱う信号周波数の波長をλ、信号線の長さをＬとすると、λ／４≪Ｌの場合、またはパルスの立ち上がり時間に比べて信号が線路を一往復する時間が大きい場合、には線路を分布定数回路と考える必要が生じる。このような分布定数回路はその特性インピーダンスで終端すれば（整合をとれば）、反射現象は発生しないことが知られている。
【０００５】
特性インピーダンスＺ０は、線路の損失が小さければ一般的にＺ０＝（Ｌ／Ｃ）（１／２）（Ｌ：単位長あたりのインダクタンス、Ｒ：単位長あたりのコンダクタンス）で表されるが、測定により求めることも可能であり、ＴＤＲ（time domain reflectometer）法に基づくＴＤＲ測定器が使用される。ＴＤＲ測定器では、戻ってきた（反射）信号の大きさと、いつ戻ってきたかのタイミング（遅延）、およびその極性を測定する事により、ケーブル長、特性インピーダンス（の連続性）およびケーブル上での問題発生箇所等を知る事が出来る。
【０００６】
電子回路でのノイズ対策としては以下のようなものが知られている。
すなわち、配線パターンの幅を分岐パターンの幅よりも広く形成して、配線パターンのインピーダンスを低下させ、反射ノイズが発生しないようにインピーダンスの整合をとることが知られている（例えば特許文献１など。）。また、導電性パンプによる接続部分の線路幅を信号伝送部分の線路幅より広い形状とし、接続部分と信号伝送部分とで特性インピーダンスが同程度になるように差を設けること、およびこれら接続部分と信号伝送部分の間に徐々に大きくなるテーパ形状の補助線路を挿入することが知られている（例えば特許文献２など。）。
またノイズの発生しやすい回路基板をシールドケースで覆ったり（例えば特許文献３など。）、不要輻射を発生するコネクタに隣接してフィルタ回路を形成したりすること（例えば特許文献４など。）も知られている。
【特許文献１】特開平９−２１４０７６号公報
【特許文献２】特開２０００−１３８５０７号公報
【特許文献３】実用新案登録大３０７５８０８号
【特許文献４】特開２００５−１８８４９号公報
【発明の開示】
【発明が解決しようとする課題】
【０００７】
しかしながら、シールドケースではシールドケース内部に存在する回路への影響は免れず、フィルタ回路では部品点数が増加してコストアップにつながる。また、電子回路で使用されるクロック信号は上昇傾向にあるため、回路で伝送される電流の表皮効果の影響が大きくなり、パターン縁の形状が回路特性に大きな影響を及ぼす可能性が懸念される。つまり、特許文献２のような信号伝送パターンの線幅の変化では、接続部分と信号伝送パターンとの特性インピーダンスは整合されるが、信号伝送パターンそのものに特性インピーダンスのギャップが生じることとなり、このギャップにおいて反射が生じたり、電流の流れにムラが発生したりする。この信号伝送パターンそのものの特性インピーダンスのギャップによる影響は、高周波であるほど表皮効果により顕著に現れる。
【０００８】
本発明は、上記課題に鑑みてなされたもので、接続される負荷と信号伝送線路との特性インピーダンスが異なっていても反射を生じにくく、表皮効果の影響が顕著に現れる周波数帯の信号が伝送されても反射のおきにくい配線パターンを有するプリント配線板および該プリント配線板を備えるフラットパネルディスプレイの提供を目的とする。
【課題を解決するための手段】
【０００９】
上記課題を解決するために、本発明のプリント配線板は、所定の負荷が接続されるランドに対して信号を伝送する所定幅の信号伝送線路がパターンとして形成されたプリント配線板において、上記信号伝送線路は分布定数回路であり、上記ランドは該ランドの幅の調節により上記負荷の特性インピーダンスと整合する特性インピーダンスを有し、線路幅を漸次変化させつつ滑らかに上記信号伝送線路と上記ランドとを接続する接続線路により、上記信号伝送線路と上記負荷の間の特性インピーダンスを滑らかに変化させる構成としてある。
【００１０】
上記構成において、信号伝送線路にて伝送される信号は、線路幅が滑らかに徐々に変化する接続線路により反射を生ずることなくランドに伝送される。また接続線路のランド側端における特性インピーダンスはランドに接続される負荷と整合されているため、負荷に信号を伝送する際にも反射を生じることがない。このパターン形状は、分布定数回路に適用すると好適であるが、特に伝送される信号が表皮効果が顕著に現れる周波数帯の信号の場合に、線路外縁に集中して伝送される電流の流れを阻害する事無く好適である。
【００１１】
角を持たないように滑らかとは、信号伝送線路から接続線路へと連続する部位において、その縁が形成する線分の傾きに不連続性が生じないようにすることである。また漸次とは、接続線路の縁が形成する線分の傾きに不連続性が生じないようにすることである。無論、信号伝送線路の縁は直線状に形成されるため、該縁の形成する線分の傾きに不連続性は生じない。よって信号伝送線路から接続線路まで角を持たないように滑らかに形成される。
【００１２】
ここで本発明における分布定数回路とは、集中定数回路としての近似が不可能な回路を意味する。集中定数回路とは、信号伝送線路にて伝送される信号の波長が信号伝送線路の線路長よりも十分に長く、無視することができるものである。すなわち信号伝送線路上に分布するインピーダンスを無視することが可能な回路である。電気回路において、そのパラメータが場所的に集中したもの、したがって場所的な広がりによる影響を考えなくてもよいような回路の場合に用いる。従って、本発明における分布定数回路とは、信号伝送線路にて伝送される信号の波長が信号伝送線路の線路長よりも十分に長いとは言えず、無視することができず、信号伝送線路上に分布するインピーダンスを無視できない回路である。無論、集中定数回路に本発明を適用しても何ら問題はない。
【００１３】
より具体的には、上記負荷より上記信号伝送線路の特性インピーダンスが大きい場合は、上記信号伝送線路の側から上記負荷の側へ向かって、上記線路幅を漸増し、上記負荷より上記信号伝送線路の特性インピーダンスが小さい場合は、上記信号伝送線路の側から上記負荷の側へ向かって、上記線路幅を漸減する事となる。
【００１４】
また、本発明は差動ペアに適用すると好適である。すなわち、上記信号伝送線路は、互いに隣接して略平行に形成される一対の信号伝送線路であり、該一対の信号伝送線路は差動信号を伝送する差動ペアであり、近接側が平行に形成されかつ、その遠隔側はペアの間の中心線に対して互いに線対称に漸次幅が変化される構成も採用可能である。また、該差動ペアを近接させて各々の信号伝送線路から発生される磁束を、互いにより打ち消しあう間隔とするとより好適である。この構成によれば、信号伝送線路と負荷の間の特性インピーダンスを滑らかに変化させるとともに、差動ペアの間隔を近接して形成することにより、両パターンにて発生する磁束が互いに逆位相となって互いに打ち消しあい、差動ペアから輻射されるノイズを低減することが可能となる。
【００１５】
また、本発明は、ダンピング抵抗のランドに適用されても良い。ダンピング抵抗とはＬＣ共振回路に並列に接続される抵抗器のことである。すなわち、該抵抗器の接続部位において特性インピーダンスが整合され、信号伝送線路からランドへ滑らかに特性インピーダンスが変化するため反射やリンギングによるノイズの発生を抑えることが出来る。
【００１６】
また、本発明は、フィルタ回路に接続されるランドに適用されても良い。フィルタ回路とはバンドパスフィルタや方向性結合器等の高周波を扱うフィルタ回路である。この場合、フィルタ回路から出力される信号を負荷に伝送する信号伝送線路に適用されても良いし、信号を伝送して負荷としてのフィルタ回路に入力する信号伝送線路に適用されても良い。すなわち、フィルタ回路から出力された信号やフィルタ回路に入力される信号が、反射されにくくなり、リンギングやよるノイズの発生を抑えることが出来る。
【００１７】
また上記課題を解決するための、より具体的な構成として、デジタルにて映像信号処理を行いつつディスプレイの駆動信号を差動信号として出力するＩＣが搭載されるとともに、ＬＶＤＳケーブルが接続されるコネクタのランドに対して該差動信号を伝送する所定幅の信号伝送線路がパターンとして形成されたプリント配線板を備え、入力される映像信号に基づき所定の画面に映像を表示するフラットパネルディスプレイにおいて、上記信号伝送線路は分布定数回路であり、かつ互いに隣接して略平行に形成され、ＣＭＯＳ論理回路より出力される差動信号を伝送する差動ペアであり、該差動ペアにはコモンモードフィルタが設けられ、該差動ペアの近接側は、伝送される差動信号により各々の信号伝送線路から発生される磁束を互いに打ち消しあう間隔で近接側が平行に形成され、該差動ペアの遠隔側は、該差動ペアの間の中心線に対して互いに線対称に漸次幅が変化され、上記ランドは上記信号伝送線路とは異なる線路幅を有し、上記ＬＶＤＳケーブルより上記信号伝送線路の特性インピーダンスが大きい場合は、上記信号伝送線路の側から上記ＬＶＤＳケーブルの側へ向かって、上記線路幅を滑らかに漸増し、上記信号伝送線路と上記ＬＶＤＳケーブルの間の特性インピーダンスを滑らかに変化させ、上記ＬＶＤＳケーブルより上記信号伝送線路の特性インピーダンスが小さい場合は、上記信号伝送線路の側から上記ＬＶＤＳケーブルの側へ向かって、上記線路幅を滑らかに漸減して上記信号伝送線路と上記ＬＶＤＳケーブルの間の特性インピーダンスを滑らかに変化させる構成としてある。
【発明の効果】
【００１８】
以上説明したように本発明によれば、反射やリンギングを抑えてノイズ輻射の少ないパターンを有するプリント基板を提供することができる。
また請求項３にかかる発明によれば、反射やリンギングを抑えてノイズ輻射の少ないパターンを有するプリント基板を提供することができる。
そして請求項４にかかる発明によれば、反射やリンギングを抑えてノイズ輻射の少ないパターンを有するプリント基板を提供することができる。
さらに請求項５にかかる発明によれば、差動ペアを有するプリント基板において、反射やリンギングを抑えてノイズ輻射を低減することができる。
また請求項６にかかる発明によれば、差動ペアを有するプリント基板において、さらに反射やリンギングを抑えてノイズ輻射を低減することができる。
そして請求項７にかかる発明によれば、ダンピング抵抗を有するプリント基板において、反射やリンギングを抑えてノイズ輻射を低減することができる。
さらに請求項８にかかる発明によれば、フィルタ回路を有するプリント基板において、反射やリンギングを抑えてノイズ輻射を低減することができる。
さらに請求項１のような、より具体的な構成において、上述した請求項２〜請求項６の各発明と同様の作用を奏することはいうまでもない。
【発明を実施するための最良の形態】
【００１９】
以下、下記の順序に従って本発明の実施形態を説明する。
（１）本発明の概略構成：
（２）本発明の配線パターン：
（３）ＣＭＯＳ論理回路の差動ペア：
（４）ダンピング抵抗のランド：
（５）まとめ：
【００２０】
（１）本発明の概略構成： 
図１は本発明の一実施形態にかかるテレビジョン装置の外観斜視図、図２はテレビジョン装置のバックキャビネットを外して内部を露出させた斜視図である。本実施形態ではプリント配線板を供えるテレビジョン装置を例にとって説明するが、ＰＣ（Personal Computer）等のコンピュータや、バンドパスフィルタやブランチラインのカプラや方向結合器等のフィルター系への入出力部分、等の数百ＭＨｚ以上のクロック信号に基づいて動作する電機電子機器であればいかなる形態であっても本発明を適用可能である。また、本実施形態では、テレビジョン装置の一形態として液晶テレビジョンを例にとって説明するが、無論ブラウン管テレビジョンやプラズマテレビジョンであっても良いし、フラットパネルディスプレイ等であってもよい。
【００２１】
図１において、液晶テレビジョン１００は、樹脂製のフロントキャビネットおよびバックキャビネットと、映像を画面に表示するディスプレイとしての液晶パネル５１と、脚部５３とから構成されている。フロントキャビネットは液晶パネル５１の表示面を矩形枠から外部に露出するように該液晶パネル５１を保持している。バックキャビネットは中央部が背面側に厚く形成されており、液晶パネル５１背面に配置される各種基板をこの厚み部分に収容する。フロントキャビネットはバックキャビネットと前後に合わされてキャビネット５２を構成する。脚部５３は、液晶パネル５１の表示面を略鉛直に配向させるようにキャビネットを支持している。
【００２２】
図２において、液晶パネル５１の背面には主基板５０とデジタル基板１０とが固定されている。主基板５０には、概略、チューナ回路、入出力回路、電源回路、インバータ回路、アナログ信号処理回路等のアナログ信号を扱う回路が搭載され、デジタル基板１０には、概略、デジタルで映像信号の処理を行うデジタル映像信号処理回路が搭載される。
【００２３】
チューナ回路は不図示のアンテナを介してテレビ放送信号を受信して中間周波信号を抽出し、アナログ信号処理回路が中間周波信号に所定のアナログ映像信号処理を施した後、ケーブル５０ａを介してデジタル基板１０に映像信号を供給する。音声処理回路は中間周波信号から音声信号を抽出し、該音声信号に増幅等の信号処理を行う。電源回路は、商用電源を入力されて各種電圧を生成し、テレビジョン装置の各部に電源電圧として供給する。インバータ回路は電源回路から電源電圧を供給されて、高周波の交流信号を生成して液晶モジュールのバックライトに供給する。入出力回路は、外部よりジャックを介して入力される各種信号（映像、音声、制御）をアナログ信号処理基板に供給し、アナログ信号処理基板から出力される各種信号（映像、音声、制御）をジャックを介して外部に出力する。
【００２４】
デジタル基板１０は、デジタルで映像信号を処理するLSIを備える。該LSIはアナログ基板から供給された映像信号をデジタル化し、該デジタル化された映像信号にカラーマネージメント、ノイズリダクション、エッジエンハンス、画質調整、γ補正、パネルタイミング、ゲイン調整、バランス調整などのデジタル映像信号処理を施す。さらに、LSIは、デジタル映像信号に基づく駆動信号を生成し、デジタル基板上に形成される配線パターンＰを介してコネクタＣＮに供給し、ＬＶＤＳケーブル１０ａにより駆動信号を液晶パネル５１に供給する。液晶パネル５１は該駆動信号に基づいて各液晶セルを駆動して画面に映像を表示する。
【００２５】
（２）本発明の配線パターン： 
図３は本実施形態にかかるプリント配線板（プリント基板）としてのデジタル基板１０の概略平面図である。
同図において、デジタル基板１０にはＩＣとしてのＬＳＩとコネクタＣＮとが搭載されており、ＬＳＩの端子１２から出力されるデジタル信号をコネクタＣＮに伝送するパターンとして信号伝送線路Ｐと接続線路Ｓが形成されている。ＬＳＩは所定のデジタル信号を出力する素子であり、略矩形の各辺からそれぞれ複数の端子１２を突出し、デジタル基板１０上に形成された信号伝送線路Ｐの端部にこれら端子１２を接触させて半田付けされて電気的に接続されている。図３では４つの端子のみ信号伝送線路Ｐと接触しているが、その他の端子もそれぞれデジタル基板１０上に形成される信号伝送線路に接続されているものとする。信号伝送線路Ｐの他方の端部は接続線路Ｓに接続している。接続線路Ｓの他方の端部はコネクタＣＮの下部に形成されるランドＬに滑らかに連続し、ランドＬにはコネクタＣＮの端子が半田付けされている。これにより、ＬＳＩとコネクタＣＮとが電気的に接続される。コネクタには、ケーブル、フィルタ回路（バンドパスフィルタや方向性結合器等。）、回路素子等の所定の負荷が接続される。また、信号を出力する素子としてはＬＳＩに限らず、ケーブル、フィルタ回路（バンドパスフィルタや方向性結合器等。）、回路素子等であってもよい。
【００２６】
また、各信号伝送線路Ｐにはノイズフィルタ（ＥＭＩフィルタ、ＥＭＣフィルタ）Ｆが設けられる。ノイズフィルタＦは５００ＭＨｚ以上の周波数帯を阻止するものであり、コモンモードノイズやディファレンシャルモードノイズの発生を防ぐ。ディファレンシャルモードノイズを防ぐノイズフィルタとしてはフェライトビーズ、フェライトコア、三端子フィルタ（三端子コンデンサ等）、貫通コンデンサ、等である。ディファレンシャルモードノイズフィルタによれば信号電流に重畳するシステム内ノイズを除去できる。一方、コモンモードノイズを防ぐノイズフィルタとしては、例えばＴＣＭ１００５（ＴＤＫ（登録商標））等のコモンモードフィルタであり、差動信号を伝送する１対の差動ペアに対して１つのコモンモードフィルタが設けられる。コモンモードノイズフィルタによれば、差動伝送方式による２本の信号線の信号特性のアンバランスによるコモンモードのノイズ電流の通過を阻止し、コモンモードノイズを防ぐことができる。
【００２７】
ここで、信号伝送線路Ｐにより伝送される信号は、信号伝送線路Ｐによって伝送される際に、該信号伝送線路Ｐを分布定数回路と見做す必要が生じる高周波の信号である。つまり、パターン長（信号伝送線路長）が短く、パターンが接続する素子間における信号の往復時間が素子の立ち上がり時間よりも短い場合は、このパターンは集中定数回路として扱うことができる。しかしながら、取り扱うデジタル信号の周波数の波長λに対して、パターン（信号伝送線路）の長さＬが長い場合（λ／４≪Ｌ）には、パターンを分布定数回路と考える必要がある。すなわち、後者の場合が本発明の信号伝送線路Ｐに相当する。高周波信号が使用されるのは、近年の映像の高精細化に伴う伝送情報量の増大を反映して、デジタル信号であることが多い。
【００２８】
このように、信号伝送線路Ｐを分布定数回路と見做す必要が生じる場合は、反射やリンギングを抑えるために信号伝送線路ＰとコネクタＣＮに接続される負荷の特性インピーダンスを整合（matching）させる必要がある。一方で、反射やリンギングを抑えるには、ステップドインピーダンスの原理により滑らかに特性インピーダンスを変化させることによっても実現しうる。本発明においては、特性インピーダンスの整合と滑らかな変化の双方を利用したパターン形状を提案する。各部の特性インピーダンスは、ＴＤＲ測定器により知ることができる。また、他のパラメータが同一なら、パターンの幅を広くすると該パターンにおける特性インピーダンスは減少し、パターンの幅を狭くすると該パターンにおける特性インピーダンスは増加することが知られている。
【００２９】
図４は信号伝送線路ＰよりもコネクタＣＮに接続される負荷の特性インピーダンスが低い場合のパターン形状である。同図において、信号伝送線路Ｐ１は接続線路Ｓ１によりランドＬ１へ接続される。この接続線路Ｓ１は、信号伝送線路Ｐ１側からランドＬ１側へと滑らかかつ徐々に（漸次）幅が広くなるように形成されている。また、信号伝送線路Ｐ１と接続線路Ｓ１の接続部分、および接続線路Ｓ１とランドＬ１の接続部分も滑らか、かつ角が出来ないように接続される。
【００３０】
具体的には、一定の線幅ｘ１を持つ信号伝送線路Ｐ１は、同幅の第一の曲部Ｓ１ａの左端部に滑らかに接続される。そして、第一の曲部Ｓ１ａは、曲線状の縁を持ち、その縁が緩やかなカーブを描いて接続線路Ｓ１の線幅を増加させ、所定の傾きになると滑らかにテーパー部Ｓ１ｂに接続する。テーパー部Ｓ１ｂは、略直線状の縁を持ち、ほぼ一定の増加率で徐々に線幅を増加させ、第二の曲部Ｓ１ｃと滑らかに接続する。第二の曲部Ｓ１ｃは曲線状の縁を持ち、その縁が緩やかなカーブを描いて接続線路Ｓ１の線幅の増加率を減少させ、傾きが信号伝送線路Ｐ１と同一となるとともに線幅がランドＬ１の幅ｙ１と同一になると該ランドＬ１と接続される。
【００３１】
すなわち、信号伝送線路Ｐ１から接続線路Ｓ１を介してランドＬ１に接続されるパターンは、角を持たず、滑らかかつ徐々に線幅を広げて接続される。また、信号伝送線路Ｐ１部分の特性インピーダンスをＺ１、ランドＬ１に接続される負荷の特性インピーダンスをＺ２とすると、線幅ｙ１となるランドＬ１では特性インピーダンスはＺ２とする。このように、ランドＬ１と負荷の特性インピーダンスを整合させるとともに、信号伝送線路Ｐ１からランドＬ１にかけて滑らかに線路幅を増加させて信号伝送線路Ｐ１からランドＬ１にかけての特性インピーダンスを滑らかに減少させる。従って信号伝送線路Ｐ１とランドＬ１間の特性インピーダンスが階段式に急激に変化せず、信号の反射が起きにくい。従って輻射ノイズも発生しにくいパターンの形成が可能となる。無論、接続線路Ｓ１は、信号伝送線路Ｐ１からランドＬ１まで滑らかかつ徐々に増加する形状であれば様々な形状を採用可能である。
【００３２】
図５は信号伝送線路ＰよりもコネクタＣＮに接続される負荷の特性インピーダンスが高い場合のパターン形状である。同図において、信号伝送線路Ｐ３は接続線路Ｓ２によりランドＬ２へ接続される。この接続線路Ｓ２は、信号伝送線路Ｐ２側からランドＬ２側へと滑らか、かつ徐々に（漸次）幅が狭くなるように形成されている。また、信号伝送線路Ｐ３と接続線路Ｓ２の接続部分、および接続線路Ｓ２とランドＬ２の接続部分も滑らかに接続され、角が出来ないように接続される。
【００３３】
具体的には、一定の線幅ｘ２を持つ信号伝送線路Ｐ２は、同幅の第三の曲部Ｓ２ａの左端部に滑らかに接続される。そして、第三の曲部Ｓ２ａは、曲線状の縁を持ち、その縁が緩やかなカーブを描いて接続線路Ｓ２の線幅を減少させ、所定の傾きになると滑らかにテーパー部Ｓ２ｂに接続する。テーパー部Ｓ２ｂは、略直線状の線幅を持ち、ほぼ一定の減少率で徐々に線幅を減少させ、第四の曲部Ｓ２ｃと滑らかに接続する。第四の曲部Ｓ２ｃは曲線状の縁を持ち、その縁が緩やかなカーブを描いて接続線路Ｓ２の線幅の減少率を減少させ、傾きが信号伝送線路Ｐ２と同一となるとともに線幅がランドＬ２のｙ２と同一になると該ランドＬ２と接続される。
【００３４】
すなわち、信号伝送線路Ｐ２から接続線路Ｓ２を介してランドＬ２に接続されるパターンは、角を持たず、滑らかかつ徐々に線幅を広げて接続される。また、信号伝送線路Ｐ２部分の特性インピーダンスをＺ３、ランドＬ２に接続される負荷の特性インピーダンスをＺ４とすると、線幅ｙ２となるランドＬ２では特性インピーダンスはＺ４とする。このように、ランドＬ２と負荷の特性インピーダンスを整合させるとともに、信号伝送線路Ｐ２からランドＬ２にかけて滑らかに線路幅を減少させて信号伝送線路Ｐ２からランドＬ２にかけての特性インピーダンスを滑らかに増加させる。従って信号伝送線路Ｐ２とランドＬ２間の特性インピーダンスが階段式に急激に変化せず、信号の反射が起きにくい。従って輻射ノイズも発生しにくいパターンの形成が可能となる。無論、接続線路Ｓ２は、信号伝送線路Ｐ２からランドＬ２まで滑らかかつ徐々に増加する形状であれば様々な形状を採用可能である。
【００３５】
（３）ＣＭＯＳ論理回路の差動ペア： 
次に、上述の配線パターンを差動ペアに適用した例について説明する。図６と図７は、図３において隣り合うパターンが互いに極性の反転した差動信号を伝送する一対の差動ペアである場合に好適なパターン形状である。図６は信号伝送線路ＰよりもコネクタＣＮに接続される負荷の特性インピーダンスが低い場合、図７は信号伝送線路ＰよりもコネクタＣＮに接続される負荷の特性インピーダンスが高い場合、のパターン形状である。このような差動ペアとしてはＣＭＯＳ論理回路からの出力ライン、USBやIEEE1394等の高速インターフェースへの信号供給ライン、ＬＶＣＳやＴＭＤＳなどの差動信号インターフェイスへの信号供給ライン等が考えられる。
【００３６】
図６において、信号伝送線路Ｐ３ａは接続線路Ｓ３ａによりランドＬ３ａと接続され、信号伝送線路Ｐ３ｂは接続線路Ｓ３ｂによりランドＬ３ｂと接続される。信号伝送線路Ｐ３ａと信号伝送線路Ｐ３ｂとは互いに面する側の縁を平行かつ近接して形成される。近接とは、互いに接さないように信号伝送線路Ｐ３ａとＰ３ｂを近づけて隣接させることであり、特に差動ペアの両パターンにて伝送される信号により発生する磁束が互いに打ち消しあう距離であることが好ましい。また接続線路Ｓ３ａと接続線路Ｓ３ｂも互いに面する側の縁を平行かつ近接して形成される。接続線路Ｓ３ａと接続線路Ｓ３ｂは、互いに面しない側の縁を滑らかかつ徐々に（漸次）変化させて線幅を増加させつつランドＬ３ａとランドＬ３ｂにそれぞれ接続される。よって、信号伝送線路Ｐ３ａと接続線路Ｓ３ａ、接続線路Ｓ３ａとランドＬ３ａ、信号伝送線路Ｐ３ｂと接続線路Ｓ３ｂ、接続線路Ｓ３ａとランドＬ３ｂは、それぞれ角を作る事無く滑らかに接続される。
【００３７】
すなわち、信号伝送線路Ｐ３ａから接続線路Ｓ３ａを介してランドＬ３ａに接続されるパターン、および信号伝送線路Ｐ３ｂから接続線路Ｓ３ｂを介してランドＬ３ｂに接続されるパターンは、互いに面する近接側は互いに一定間隔の平行に形成され、互いに面しない遠隔側は、差動ペアの間の中心線に対して互いに線対称に角を持たず滑らか、かつ徐々に線幅を広げてコネクタ接続部に接続される。また、信号伝送線路Ｐ３ａ，Ｐ３ｂの特性インピーダンスをＺ５、ランドＬ３ａおよびランドＬ３ｂに接続される負荷の特性インピーダンスをＺ６とすると、線幅がｙ３となるランドＬ３ａおよびランドＬ３ｂでは特性インピーダンスがＺ６とされる。
【００３８】
このようにランドＬ３ａ、ランドＬ３ｂと該ランドに接続される負荷の特性インピーダンスの整合を図るとともに、信号伝送線路Ｐ３ａ，Ｐ３ｂからそれぞれランドＬ３ａ，Ｌ３ｂにかけて滑らかに線路幅を増加させることにより、信号伝送線路Ｐ３ａ，Ｐ３ｂからそれぞれランドＬ３ａ，Ｌ３ｂにかけての特性インピーダンスが滑らかに減少する。よって信号伝送線路Ｐ３ａ，Ｐ３ｂからランドＬ３ａ，Ｌ３ｂそれぞれの間における特性インピーダンスが階段式に急激に変化することが無く、信号の反射が起きにくくなる。従って輻射ノイズも発生しにくいパターンの形成が可能となる。さらに差動ペアの間隔を近接して形成することにより、両パターンにて発生する磁束が互いに逆位相となって互いに打ち消しあう。従って、差動ペアから輻射されるノイズが低減される。
【００３９】
図７において、信号伝送線路Ｐ４ａは接続線路Ｓ４ａによりランドＬ４ａと接続され、信号伝送線路Ｐ４ｂは接続線路Ｓ４ｂによりランドＬ４ｂと接続される。信号伝送線路Ｐ４ａと信号伝送線路Ｐ４ｂとは互いに面する側の縁を平行かつ近接して形成される。また接続線路Ｓ４ａと接続線路Ｓ４ｂも互いに面する側の縁を平行かつ近接して形成される。接続線路Ｓ４ａと接続線路Ｓ４ｂは、互いに面しない側の縁を滑らかかつ徐々に（漸次）変化させて線幅を減少させつつランドＬ４ａ，Ｌ４ｂに接続される。よって、信号伝送線路Ｐ４ａと接続線路Ｓ４ａ、接続線路Ｓ４ａとランドＬ４ａ、信号伝送線路Ｐ４ｂと接続線路Ｓ４ｂ、接続線路Ｓ４ａとランドＬ４ｂは、それぞれ角を作る事無く滑らかに接続される。
【００４０】
すなわち、信号伝送線路Ｐ４ａから接続線路Ｓ４ａを介してランドＬ４ａに接続されるパターン、および信号伝送線路Ｐ４ｂから接続線路Ｓ４ｂを介してランドＬ４ｂに接続されるパターンは、互いに面する側は互いに一定間隔の平行に形成され、互いに面しない側は角を持たず滑らか、かつ徐々に線幅を広げてコネクタ接続部に接続される。また、信号伝送線路Ｐ４ａ，Ｐ４ｂの特性インピーダンスをＺ７、ランドＬ４ａ，ＣＮ４ｂに接続される負荷の特性インピーダンスをＺ８とすると、線幅がｙ４となるランドＬ４ａ，Ｌ４ｂでは特性インピーダンスがＺ８とされる。
【００４１】
このようにランドＬ４ａ、ランドＬ４ｂと該ランドに接続される負荷の特性インピーダンスの整合を図るとともに、信号伝送線路Ｐ４ａ，Ｐ４ｂからそれぞれランドＬ４ａ，Ｌ４ｂにかけて滑らかに線路幅を減少させることにより、信号伝送線路Ｐ４ａ，Ｐ４ｂからそれぞれランドＬ４ａ，Ｌ４ｂにかけての特性インピーダンスが滑らかに増加する。よって信号伝送線路Ｐ４ａ，Ｐ４ｂからランドＬ４ａ，Ｌ４ｂそれぞれの間における特性インピーダンスが階段式に急激に変化することが無く、信号の反射が起きにくくなる。従って輻射ノイズも発生しにくいパターンの形成が可能となる。さらに差動ペアの間隔を近接して形成することにより、両パターンにて発生する磁束が互いに逆位相となって互いに打ち消しあう。従って、差動ペアから輻射されるノイズが低減される。
【００４２】
（４）ダンピング抵抗のランド： 
次に上述の配線パターンをダンピング抵抗のランドに適用した例について説明する。ダンピング抵抗とは、ＬＣ共振回路に並列に接続される抵抗器のことであり、従来は例えば図９のようなランドＡ１、Ｂ１が形成されて、該ランドに半田付けなどにより接続されていた。すなわち、平行に延びる線路Ａ，Ｂの夫々対応する位置に線路幅を広げた角型のランドＡ１，Ｂ１が形成され、該ランドにチップ抵抗等の抵抗が戴置し半田付けされていた。このように従来のダンピング抵抗のランドは、六角や四角等の角を持つ形状となっていた。
【００４３】
しかしながら、このような従来のランド形状は、ランドと負荷の間での特性インピーダンスの整合は取れても、分布定数回路と見做される回路に使用すると角の部分で反射を生じることとなり、リンギングやノイズの原因となる。そこで、本発明では図８のような形状のランドをダンピング抵抗のランドとした。同図においてダンピング抵抗が負荷を構成する。
【００４４】
同図において、平行に延びる信号伝送線路Ｃ、Ｄ上の夫々対応する位置にランドＣ１，Ｄ１が形成されている。ランドＣ１、Ｄ１は、夫々信号伝送線路Ｃ，Ｄから滑らかかつ徐々に（漸次）幅を広くして所定の幅Ｘ５とし、さらに滑らかに幅を徐々に減少させていき信号伝送線路Ｃ，Ｄの反対側へと滑らかに連続するように形成される。所定の幅としてはランド上にダンピング抵抗を接続可能な幅でありつつ、ランドＣ１、Ｄ１の特性インピーダンスが該ランドに接続されるダンピング抵抗の特性インピーダンスと一致する幅とする。すなわちランドＣ１，Ｄ１は、それぞれ信号伝送線路Ｃ，Ｄに両幅方向になだらかな山形に盛り上がる形状とされ、最大幅が所定の幅となる膨らみとして形成される。
【００４５】
よってランドＣ１，Ｄ１とダンピング抵抗Ｒｄの特性インピーダンスが整合されるとともに、信号伝送線路Ｃ，ＤとランドＣ１，Ｄ１とがそれぞれ滑らかに接続されることにより、特性インピーダンスも滑らかに変化する。よって伝送する信号がランドと信号伝送線路の接続部分で反射しにくいランド形状となり、ノイズやリンギングの発生しにくいランド形状を有するデジタル基板１０を提供することが出来る。
【００４６】
（５）まとめ： 
以上より、分布定数回路である信号伝送線路Ｐ１は、接続線路Ｓ１によりランドＬ１に接続される。ランドＬ１には信号伝送線路Ｐ１とは異なる特性インピーダンスを有する負荷が接続される。ランドＬ１は、負荷の特性インピーダンスと一致する線路幅を有する。接続線路Ｓ１は、線路幅を漸次増加させつつ角を持たないように滑らかに形成され、この接続線路Ｓ１により信号伝送線路Ｐ１と負荷の間の特性インピーダンスが滑らかに減少する。
【００４７】
また、分布定数回路である信号伝送線路Ｐ２は、接続線路Ｓ２によりランドＬ２に接続される。ランドＬ２には信号伝送線路Ｐ２とは異なる特性インピーダンスを有する負荷が接続される。ランドＬ２は、負荷の特性インピーダンスと一致する線路幅を有する。接続線路Ｓ２は、線路幅を漸次減少させつつ角を持たないように滑らかに形成され、この接続線路Ｓ２により信号伝送線路Ｐ２と負荷の間の特性インピーダンスが滑らかに増加する。
【００４８】
また、分布定数回路である信号伝送線路Ｐ３ａ，Ｐ３ｂは、それぞれ接続線路Ｓ３ａ、Ｓ３ｂにより、それぞれランドＬ３ａ，Ｌ３ｂに接続される。ランドＬ３ａ，Ｌ３ｂには信号伝送線路Ｐ３ａ，Ｐ３ｂとは異なる特性インピーダンスを有する負荷が接続される。ランドＬ３ａ，Ｌ３ｂは、負荷の特性インピーダンスと一致する線路幅を有する。接続線路Ｓ３ａ，Ｓ３ｂは、線路幅を漸次増加させつつ角を持たないように滑らかに形成され、この接続線路Ｓ３ａ，Ｓ３ｂにより信号伝送線路Ｐ３ａ，Ｐ３ｂと負荷の間の特性インピーダンスが滑らかに減少する。
【００４９】
また、分布定数回路である信号伝送線路Ｐ４ａ，Ｐ４ｂは、それぞれ接続線路Ｓ４ａ、Ｓ３ｂにより、それぞれランドＬ３ａ，Ｌ３ｂに接続される。ランドＬ３ａ，Ｌ３ｂには信号伝送線路Ｐ３ａ，Ｐ３ｂとは異なる特性インピーダンスを有する負荷が接続される。ランドＬ３ａ，Ｌ３ｂは、負荷の特性インピーダンスと一致する線路幅を有する。接続線路Ｓ３ａ，Ｓ３ｂは、線路幅を漸次減少させつつ角を持たないように滑らかに形成され、この接続線路Ｓ３ａ，Ｓ３ｂにより信号伝送線路Ｐ３ａ，Ｐ３ｂと負荷の間の特性インピーダンスが滑らかに増加する。
【００５０】
また、分布定数回路である信号伝送線路Ｃ，Ｄは、ランドＣ１，Ｄ１部分が膨らむ形状にそれぞれ線幅を滑らかに変化させる。ランドＣ１，Ｄ１はダンピング抵抗Ｒｄの特性インピーダンスと一致する線路幅を有する。このランドＣ１，Ｄ１の形状により、接続線路Ｃ，Ｄとダンピング抵抗Ｒｄとの間の特性インピーダンスは滑らかに変化する。
【００５１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５２】
【図１】本発明の一実施形態にかかるテレビジョン装置の外観斜視図である。
【図２】テレビジョン装置のバックキャビネットを外して内部を露出させた斜視図である。
【図３】デジタル基板の概略平面図である。
【図４】信号伝送線路よりも負荷の特性インピーダンスが低い場合のパターン形状を説明する図である。
【図５】信号伝送線路よりも負荷の特性インピーダンスが高い場合のパターン形状を説明する図である。
【図６】差動ペアにおいて、信号伝送線路よりも負荷の特性インピーダンスが低い場合のパターン形状を説明する図である。
【図７】差動ペアにおいて、信号伝送線路よりも負荷の特性インピーダンスが高い場合のパターン形状を説明する図である。
【図８】ダンピング抵抗のランド形状を説明する図である。
【図９】従来のダンピング抵抗のランド形状を説明する図である。
【符号の説明】
【００５３】
１０…デジタル基板（プリント配線板）  １０ａ…ＬＶＤＳケーブル
１２…端子  ５０…主基板  ５０ａ…ケーブル  ５１…液晶パネル  ５２…キャビネット  ５３…脚部  １００…液晶テレビジョン
Ｆ…ノイズフィルタ（コモンモードノイズフィルタ）
Ｐ，Ｐ１，Ｐ２，Ｐ３ａ，Ｐ３ｂ，Ｐ４ａ，Ｐ４ｂ…信号伝送線路
Ｓ、Ｓ１、Ｓ２、Ｓ３ａ、Ｓ３ｂ、Ｓ４ａ，Ｓ４ｂ…接続線路
Ｓ１ａ…第一の曲部
Ｓ１ｂ…テーパー部
Ｓ１ｃ…第二の曲部
Ｓ２ａ…第三の曲部
Ｓ２ｂ…テーパー部
Ｓ２ｃ…第四の曲部
ＣＮ…コネクタ
Ｌ１，Ｌ２，Ｌ３ａ，Ｌ３ｂ，Ｌ４ａ，Ｌ４ｂ…ランド
Ｒｄ…ダンピング抵抗
Ａ，Ｂ，Ｃ，Ｄ…信号伝送線路
Ａ１，Ｂ１，Ｃ１，Ｄ１…ランド
ｘ１，ｘ２，ｘ３，ｘ４，ｘ５，ｙ１，ｙ２，ｙ３，ｙ４…線路幅
【図１】
2008064780.tif 000003
【図２】
2008064780.tif 000004
【図３】
2008064780.tif 000005
【図４】
2008064780.tif 000006
【図５】
2008064780.tif 000007
【図６】
2008064780.tif 000008
【図７】
2008064780.tif 000009
【図８】
2008064780.tif 000010
【図９】
2008064780.tif 000011